(57)【特許請求の範囲】
【請求項１】
第１の端末機器に適用されるアラーム制御方法であって、
前記第１の端末機器が第１の端末機器のアラームの時点を決定するステップと、
前記時点までの期間が予め設定された期間である場合、前記第１の端末機器が前記第１の端末機器と同一場面にある少なくとも一つの第２の端末機器が存在するか否かを決定するステップと、
前記少なくとも一つの第２の端末機器が存在する場合、前記第１の端末機器が、前記少なくとも一つの第２の端末機器に対応付けられる少なくとも一つの第１のスマートウェアラブルデバイスから、対応する少なくとも一つのユーザの睡眠情報を取得するステップと、
前記少なくとも一つのユーザの睡眠情報に基づいて、前記第１の端末機器が、前記第１の端末機器のアラームと、前記第１の端末機器に関連付けられる第２のスマートウェアラブルデバイスの作動状態と、を制御するステップと、
を含み、
前記第１の端末機器が前記第１の端末機器と同一場面にある少なくとも一つの第２の端末機器が存在するか否かを決定するステップは、
前記第１の端末機器と、少なくとも一つの第２の端末機器とが、ＷＩＦＩ、ＷＩＦＩホットスポット、又はモバイルネットワークを介して接続される場合、前記第１の端末機器が前記少なくとも一つの第２の端末機器と前記第１の端末機器との間に対応する少なくとも一つの距離を決定するステップと、
前記第１の端末機器が前記少なくとも一つの距離と予め設定された距離とに基づいて、前記第１の端末機器と同一場面にある少なくとも一つの第２の端末機器が存在するか否かを決定するステップと、
を含む、
ことを特徴とするアラーム制御方法。
【請求項２】
前記少なくとも一つのユーザの睡眠情報に基づいて、前記第１の端末機器が、前記第１の端末機器のアラームと、前記第１の端末機器に関連付けられる第２のスマートウェアラブルデバイスの作動状態と、を制御するステップは、
前記少なくとも一つのユーザの睡眠情報が、睡眠状態にあるユーザが少なくとも一つ存在すると示す場合、前記第１の端末機器が、前記第２のスマートウェアラブルデバイスに、前記時点で振動するように前記第２のスマートウェアラブルデバイスを制御するための振動制御情報を送信し、前記アラームを解除するステップを含む、
ことを特徴とする請求項１に記載のアラーム制御方法。
【請求項３】
前記少なくとも一つのユーザの睡眠情報に基づいて、前記第１の端末機器が、前記第１の端末機器のアラームを制御するステップは、
前記少なくとも一つのユーザの睡眠情報が、前記少なくとも一つのユーザがいずれも睡眠状態になっていないと示す場合、前記第１の端末機器が前記時点で前記アラームをトリガするように前記第１の端末機器を制御するステップを含む、
ことを特徴とする請求項１に記載のアラーム制御方法。
【請求項４】
第１の端末機器に適用されるアラーム制御方法であって、
前記第１の端末機器が第３のスマートウェアラブルデバイスのアラームの時点を決定するステップと、
前記時点までの期間が予め設定された期間である場合、前記第１の端末機器が前記第３のスマートウェアラブルデバイスと同一場面にある少なくとも一つの第４のスマートウェアラブルデバイスが存在するか否かを決定するステップと、
前記少なくとも一つの第４のスマートウェアラブルデバイスが存在する場合、前記第１の端末機器が、前記少なくとも一つの第４のスマートウェアラブルデバイスから、対応する少なくとも一つのユーザの睡眠情報を取得するステップと、
前記少なくとも一つのユーザの睡眠情報に基づいて、前記第１の端末機器が、前記第３のスマートウェアラブルデバイスのアラームと、前記第３のスマートウェアラブルデバイスの作動状態と、を制御するステップと、
を含み、
前記第１の端末機器が前記第３のスマートウェアラブルデバイスと同一場面にある少なくとも一つの第４のスマートウェアラブルデバイスが存在するか否かを決定するステップは、
前記第１の端末機器がブルートゥースを介して前記第３のスマートウェアラブルデバイスに接続される少なくとも一つの第４のスマートウェアラブルデバイスが存在するか否かを決定するステップと、
存在する場合、前記第１の端末機器が、ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するステップと、
を含む、
ことを特徴とするアラーム制御方法。
【請求項５】
前記少なくとも一つのユーザの睡眠情報に基づいて、前記第１の端末機器が、前記第３のスマートウェアラブルデバイスのアラームを制御するステップは、
前記少なくとも一つのユーザの睡眠情報が、睡眠状態にあるユーザが少なくとも一つ存在すると示す場合、前記第１の端末機器が前記アラームの音を解除し、前記時点で振動するように前記第３のスマートウェアラブルデバイスを制御するステップを含む、
ことを特徴とする請求項４に記載のアラーム制御方法。
【請求項６】
前記少なくとも一つのユーザの睡眠情報に基づいて、前記第１の端末機器が前記第３のスマートウェアラブルデバイスのアラームを制御するステップは、
前記少なくとも一つのユーザの睡眠情報が、前記少なくとも一つのユーザがいずれも睡眠状態になっていないと示す場合、前記第１の端末機器が前記時点で前記アラームをトリガするように前記第３のスマートウェアラブルデバイスを制御するステップを含む、
ことを特徴とする請求項４に記載のアラーム制御方法。
【請求項７】
アラーム制御装置であって、
第１の端末機器のアラームの時点を決定するように構成される第１の決定モジュールと、
前記時点までの期間が予め設定された期間である場合、前記第１の端末機器と同一場面にある少なくとも一つの第２の端末機器が存在するか否かを決定するように構成される第２の決定モジュールと、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得するように構成される第１の取得モジュールと、
前記少なくとも一つのユーザの睡眠情報に基づいて、前記第１の端末機器のアラームと、前記第１の端末機器に関連付けられる第２のスマートウェアラブルデバイスの作動状態と、を制御するように構成される第１の制御モジュールと、
を含み、
前記第２の決定モジュールは、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するように構成される第３の決定サブモジュールと、
前記少なくとも一つの距離と予め設定された距離とに基づいて、前記第１の端末機器と同一場面にある少なくとも一つの第２の端末機器が存在するか否かを決定するように構成される第４の決定サブモジュールと、
を含む、
ことを特徴とするアラーム制御装置。
【請求項８】
前記第１の制御モジュールは、
前記少なくとも一つのユーザの睡眠情報が、睡眠状態にあるユーザが少なくとも一つ存在すると示す場合、前記第２のスマートウェアラブルデバイスに、前記時点で振動するように前記第２のスマートウェアラブルデバイスを制御するための振動制御情報を送信するように構成される第１の送信サブモジュールと、
前記アラームを解除するように構成される第１の制御サブモジュールと、
を含む、
ことを特徴とする請求項７に記載のアラーム制御装置。
【請求項９】
前記第１の制御モジュールは、さらに、前記少なくとも一つのユーザの睡眠情報が、前記少なくとも一つのユーザがいずれも睡眠状態になっていないと示す場合、前記時点で前記アラームをトリガするように前記第１の端末機器を制御するように構成される、
ことを特徴とする請求項７に記載のアラーム制御装置。
【請求項１０】
アラーム制御装置であって、
第３のスマートウェアラブルデバイスのアラームの時点を決定するように構成される第３の決定モジュールと、
前記時点までの期間が予め設定された期間である場合、前記第３のスマートウェアラブルデバイスと同一場面にある少なくとも一つの第４のスマートウェアラブルデバイスが存在するか否かを決定するように構成される第４の決定モジュールと、
前記少なくとも一つの第４のスマートウェアラブルデバイスが存在する場合、前記少なくとも一つの第４のスマートウェアラブルデバイスから、対応する少なくとも一つのユーザの睡眠情報を取得するように構成される第２の取得モジュールと、
前記少なくとも一つのユーザの睡眠情報に基づいて、前記第３のスマートウェアラブルデバイスのアラームと、前記第３のスマートウェアラブルデバイスの作動状態と、を制御するように構成される第２の制御モジュールと、
を含み、
前記第４の決定モジュールは、
ブルートゥースを介して前記第３のスマートウェアラブルデバイスに接続される少なくとも一つの第４のスマートウェアラブルデバイスが存在するか否かを決定するように構成される第７の決定サブモジュールと、
ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するように構成される第８の決定サブモジュールと、
を含む、
ことを特徴とするアラーム制御装置。
【請求項１１】
前記第２の制御モジュールは、さらに、前記少なくとも一つのユーザの睡眠情報が、睡眠状態にあるユーザが少なくとも一つ存在すると示す場合、前記アラームの音を解除し、前記時点で振動するように前記第３のスマートウェアラブルデバイスを制御するように構成される、
ことを特徴とする請求項１０に記載のアラーム制御装置。
【請求項１２】
前記第２の制御モジュールは、さらに、前記少なくとも一つのユーザの睡眠情報が、前記少なくとも一つのユーザがいずれも睡眠状態になっていないと示す場合、前記時点で前記アラームをトリガするように前記第３のスマートウェアラブルデバイスを制御するように構成される、
ことを特徴とする請求項１０に記載のアラーム制御装置。
【請求項１３】
アラーム制御装置であって、
プロセッサと、
プロセッサが実行可能な命令を記憶するためのメモリと、
を含み、
前記プロセッサは、
第１の端末機器のアラームの時点を決定し、
前記時点までの期間が予め設定された期間である場合、前記第１の端末機器と同一場面にある少なくとも一つの第２の端末機器が存在するか否かを決定し、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得し、
前記少なくとも一つのユーザの睡眠情報に基づいて、前記第１の端末機器のアラームと、前記第１の端末機器に関連付けられる第２のスマートウェアラブルデバイスの作動状態と、を制御するように構成され、
前記第１の端末機器と同一場面にある少なくとも一つの第２の端末機器が存在するか否かを決定するステップは、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するステップと、
前記少なくとも一つの距離と予め設定された距離とに基づいて、前記第１の端末機器と同一場面にある少なくとも一つの第２の端末機器が存在するか否かを決定するステップと、
を含む、
ことを特徴とするアラーム制御装置。
【請求項１４】
アラーム制御装置であって、
プロセッサと、
プロセッサが実行可能な命令を記憶するためのメモリと、
を含み、
前記プロセッサは、
第３のスマートウェアラブルデバイスのアラームの時点を決定して、
前記時点までの期間が予め設定された期間である場合、前記第３のスマートウェアラブルデバイスと同一場面にある少なくとも一つの第４のスマートウェアラブルデバイスが存在するか否かを決定し、
前記少なくとも一つの第４のスマートウェアラブルデバイスが存在する場合、前記少なくとも一つの第４のスマートウェアラブルデバイスから、対応する少なくとも一つのユーザの睡眠情報を取得し、
前記少なくとも一つのユーザの睡眠情報に基づいて、前記第３のスマートウェアラブルデバイスのアラームと、前記第３のスマートウェアラブルデバイスの作動状態と、を制御するように構成され、
前記第３のスマートウェアラブルデバイスと同一場面にある少なくとも一つの第４のスマートウェアラブルデバイスが存在するか否かを決定するステップは、
ブルートゥースを介して前記第３のスマートウェアラブルデバイスに接続される少なくとも一つの第４のスマートウェアラブルデバイスが存在するか否かを決定するステップと、
存在する場合、ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するステップと、
を含む、
ことを特徴とするアラーム制御装置。
【請求項１５】
コンピュータプログラムが記憶されるコンピュータ読み取り可能な記憶媒体であって、
前記コンピュータプログラムは、プロセッサによって実行される際に、請求項１−６のいずれかのアラーム制御方法のステップを実現する、
ことを特徴とするコンピュータ読み取り可能な記憶媒体。
【発明の詳細な説明】
【技術分野】
【０００１】
本開示は、通信技術分野に関し、特に、アラーム制御方法及び装置に関する。
【背景技術】
【０００２】
事前にスケジュールされたイベントを時間通りに完成させるために、通常は目覚まし時計を設定して通知を行う。スマートデバイスの普及に伴って、益々多くのユーザは、スマートデバイスにより提供されるスマート目覚まし時計でイベント通知を行う。
【０００３】
関連技術において、ユーザは、スマート目覚まし時計のアラーム機能又は振動機能を選択することができ、ユーザに通知するために、ユーザによって設定された時間にアラーム又は振動をトリガする。同じ場面に複数のユーザがいる場合、単独のユーザによって設定されるアラームが鳴るとき、他のユーザに影響を与えないように、アラームを如何に弾力的に制御するかは、解決する必要のある技術課題である。
【発明の概要】
【発明が解決しようとする課題】
【０００４】
関連技術に存在する課題を解消するために、本開示の実施例は、アラームを弾力的に制御するためのアラーム制御方法及び装置を提供する。
【課題を解決するための手段】
【０００５】
本開示の実施例の第１側面によると、
第１の端末機器のアラームの時点を決定するステップと、
前記時点までの期間が予め設定された期間である場合、前記第１の端末機器と同一場面にある少なくとも一つの第２の端末機器が存在するか否かを決定するステップと、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得するステップと、
前記少なくとも一つのユーザの睡眠情報に基づいて、前記第１の端末機器のアラームと、前記第１の端末機器に関連付けられる第２のスマートウェアラブルデバイスの作動状態と、を制御するステップと、
を含むアラーム制御方法が提供される。
【０００６】
一実施例において、前記少なくとも一つのユーザの睡眠情報に基づいて、前記第１の端末機器のアラームと、前記第１の端末機器に関連付けられる第２のスマートウェアラブルデバイスの作動状態と、を制御するステップは、
前記少なくとも一つのユーザの睡眠情報が、睡眠状態にあるユーザが少なくとも一つ存在すると示す場合、前記第２のスマートウェアラブルデバイスに、前記時点で振動するように前記第２のスマートウェアラブルデバイスを制御するための振動制御情報を送信し、前記アラームを解除するステップを含むことができる。
【０００７】
一実施例において、前記少なくとも一つのユーザの睡眠情報に基づいて、前記第１の端末機器のアラームと、前記第１の端末機器に関連付けられる第２のスマートウェアラブルデバイスの作動状態と、を制御するステップは、
前記少なくとも一つのユーザの睡眠情報が、前記少なくとも一つのユーザがいずれも睡眠状態になっていないと示す場合、前記時点で前記アラームをトリガするように前記第１の端末機器を制御するステップを含むことができる。
【０００８】
一実施例において、前記少なくとも一つのユーザの睡眠情報に基づいて、前記第１の端末機器に関連付けられる第２のスマートウェアラブルデバイスの作動状態を制御するステップは、
前記少なくとも一つのユーザの睡眠情報が、前記少なくとも一つのユーザがいずれも睡眠状態になっていないと示す場合、前記時点で前記アラームをトリガするように前記第１の端末機器を制御するステップを含むことができる。
【０００９】
一実施例において、前記第１の端末機器と同一場面にある少なくとも一つの第２の端末機器が存在するか否かを決定するステップは、
ブルートゥースを介して前記第１の端末機器に接続される少なくとも一つの第２の端末機器が存在するか否かを決定するステップと、
存在する場合、ブルートゥースを介して前記第１の端末機器に接続される少なくとも一つの第２の端末機器を、前記第１の端末機器と同一場面にある前記少なくとも一つの第２の端末機器として決定するステップと、含むことができる。
【００１０】
一実施例において、前記第１の端末機器と同一場面にある少なくとも一つの第２の端末機器が存在するか否かを決定するステップは、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するステップと、
前記少なくとも一つの距離と予め設定された距離とに基づいて、前記第１の端末機器と同一場面にある少なくとも一つの第２の端末機器が存在するか否かを決定するステップと、含むことができる。
【００１１】
一実施例において、前記第１の端末機器と同一場面にある少なくとも一つの第２の端末機器が存在するか否かを決定するステップは、
前記第１の端末機器と同一家庭内のＷＩＦＩネットワークに接続される少なくとも一つの第２の端末機器が存在するか否かを決定するステップと、
存在する場合、前記第１の端末機器と同一家庭内のＷＩＦＩネットワークに接続される少なくとも一つの第２の端末機器を、前記第１の端末機器と同一場面にある前記少なくとも一つの第２の端末機器として決定するステップと、含むことができる。
【００１２】
本開示の実施例により提供される技術案は、以下の有益な効果を有し得る。第１の端末機器のアラームの時点までの期間が予め設定された期間である場合、第１の端末機器と同一場面にある第２の端末機器が存在すると決定された場合、第２の端末機器に関連付けられる第１のスマートウェアラブルデバイスから、第１のスマートウェアラブルデバイスを装着するユーザの睡眠情報を取得し、ユーザの睡眠情報に基づいて、上記アラーム及び第１の端末機器に関連付けられる第２のスマートウェアラブルデバイスの作動状態を制御する。このようにして、ユーザの睡眠情報に基づいて、アラームを弾力的に制御することができる。
【００１３】
本開示の実施例の第２側面によると、
第３のスマートウェアラブルデバイスのアラームの時点を決定するステップと、
前記時点までの期間が予め設定された期間である場合、前記第３のスマートウェアラブルデバイスと同一場面にある少なくとも一つの第４のスマートウェアラブルデバイスが存在するか否かを決定するステップと、
前記少なくとも一つの第４のスマートウェアラブルデバイスが存在する場合、前記少なくとも一つの第４のスマートウェアラブルデバイスから、対応する少なくとも一つのユーザの睡眠情報を取得するステップと、
前記少なくとも一つのユーザの睡眠情報に基づいて、前記第３のスマートウェアラブルデバイスのアラームと、前記第３のスマートウェアラブルデバイスの作動状態と、を制御するステップと、
を含むアラーム制御方法が提供される。
【００１４】
一実施例において、前記少なくとも一つのユーザの睡眠情報に基づいて、前記第３のスマートウェアラブルデバイスのアラームと、前記第３のスマートウェアラブルデバイスの作動状態と、を制御するステップは、
前記少なくとも一つのユーザの睡眠情報が、睡眠状態にあるユーザが少なくとも一つ存在すると示す場合、前記アラームを解除し、前記時点で振動するように前記第３のスマートウェアラブルデバイスを制御するステップを含むことができる。
【００１５】
一実施例において、前記少なくとも一つのユーザの睡眠情報に基づいて、前記第３のスマートウェアラブルデバイスのアラームと、前記第３のスマートウェアラブルデバイスの作動状態と、を制御するステップは、
前記少なくとも一つのユーザの睡眠情報が、前記少なくとも一つのユーザがいずれも睡眠状態になっていないと示す場合、前記時点で前記アラームをトリガするように前記第３のスマートウェアラブルデバイスを制御するステップを含むことができる。
【００１６】
一実施例において、前記第３のスマートウェアラブルデバイスと同一場面にある少なくとも一つの第４のスマートウェアラブルデバイスが存在するか否かを決定するステップは、
ブルートゥースを介して前記第３のスマートウェアラブルデバイスに接続される少なくとも一つの第４のスマートウェアラブルデバイスが存在するか否かを決定するステップと、
存在する場合、ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するステップと、含むことができる。
【００１７】
本開示の実施例により提供される技術案は、以下の有益な効果を有し得る。第３のスマートウェアラブルデバイスのアラームの時点までの期間が予め設定された期間である場合、第３のスマートウェアラブルデバイスと同一場面にある第４のスマートウェアラブルデバイスが存在すると決定された場合、第３のスマートウェアラブルデバイスは、第４のスマートウェアラブルデバイスを装着するユーザの睡眠情報を取得し、ユーザの睡眠情報に基づいて、アラームと第３のスマートウェアラブルデバイスの作動状態を制御する。このようにして、ユーザの睡眠情報に基づいて、アラームを弾力的に制御することができる。
【００１８】
本開示の実施例の第３側面によると、
第１の端末機器のアラームの時点を決定するように構成される第１の決定モジュールと、
前記時点までの期間が予め設定された期間である場合、前記第１の端末機器と同一場面にある少なくとも一つの第２の端末機器が存在するか否かを決定するように構成される第２の決定モジュールと、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得するように構成される第１の取得モジュールと、
前記少なくとも一つのユーザの睡眠情報に基づいて、前記第１の端末機器のアラームと、前記第１の端末機器に関連付けられる第２のスマートウェアラブルデバイスの作動状態と、を制御するように構成される第１の制御モジュールと、
を含むアラーム制御装置が提供される。
【００１９】
一実施例において、前記第１の制御モジュールは、
前記少なくとも一つのユーザの睡眠情報が、睡眠状態にあるユーザが少なくとも一つ存在すると示す場合、前記第２のスマートウェアラブルデバイスに、前記時点で振動するように前記第２のスマートウェアラブルデバイスを制御するための振動制御情報を送信するように構成される第１の送信サブモジュールと、
前記アラームを解除するように構成される第１の制御サブモジュールと、
含むことができる。
【００２０】
一実施例において、前記第１の制御モジュールは、前記少なくとも一つのユーザの睡眠情報が、前記少なくとも一つのユーザがいずれも睡眠状態になっていないと示す場合、前記時点で前記アラームをトリガするように前記第１の端末機器を制御するように構成されてもよい。
【００２１】
一実施例において、前記第２の決定モジュールは、
ブルートゥースを介して前記第１の端末機器に接続される少なくとも一つの第２の端末機器が存在するか否かを決定するように構成される第１の決定サブモジュールと、
ブルートゥースを介して前記第１の端末機器に接続される少なくとも一つの第２の端末機器を、前記第１の端末機器と同一場面にある前記少なくとも一つの第２の端末機器として決定するように構成される第２の決定サブモジュールと、
含むことができる。
【００２２】
一実施例において、前記第２の決定モジュールは、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するように構成される第３の決定サブモジュールと、
前記少なくとも一つの距離と予め設定された距離とに基づいて、前記第１の端末機器と同一場面にある少なくとも一つの第２の端末機器が存在するか否かを決定するように構成される第４の決定サブモジュールと、
含むことができる。
【００２３】
一実施例において、前記第２の決定モジュールは、
前記第１の端末機器と同一家庭内のＷＩＦＩネットワークに接続される少なくとも一つの第２の端末機器が存在するか否かを決定するように構成される第５の決定サブモジュールと、
前記第１の端末機器と同一家庭内のＷＩＦＩネットワークに接続される少なくとも一つの第２の端末機器を、前記第１の端末機器と同一場面にある前記少なくとも一つの第２の端末機器として決定するように構成される第６の決定サブモジュールと、
含むことができる。
【００２４】
本開示の実施例の第４側面によると、
第３のスマートウェアラブルデバイスのアラームの時点を決定するように構成される第３の決定モジュールと、
前記時点までの期間が予め設定された期間である場合、前記第３のスマートウェアラブルデバイスと同一場面にある少なくとも一つの第４のスマートウェアラブルデバイスが存在するか否かを決定するように構成される第４の決定モジュールと、
前記少なくとも一つの第４のスマートウェアラブルデバイスが存在する場合、前記少なくとも一つの第４のスマートウェアラブルデバイスから、対応する少なくとも一つのユーザの睡眠情報を取得するように構成される第２の取得モジュールと、
前記少なくとも一つのユーザの睡眠情報に基づいて、前記第３のスマートウェアラブルデバイスのアラームと、前記第３のスマートウェアラブルデバイスの作動状態と、を制御するように構成される第２の制御モジュールと、
を含むアラーム制御装置が提供される。
【００２５】
一実施例において、前記第２の制御モジュールは、前記少なくとも一つのユーザの睡眠情報が、睡眠状態にあるユーザが少なくとも一つ存在すると示す場合、前記アラームを解除し、前記時点で振動するように前記第３のスマートウェアラブルデバイスを制御するように構成されてもよい。
【００２６】
一実施例において、前記第２の制御モジュールは、前記少なくとも一つのユーザの睡眠情報が、前記少なくとも一つのユーザがいずれも睡眠状態になっていないと示す場合、前記時点で前記アラームをトリガするように前記第３のスマートウェアラブルデバイスを制御するように構成されてもよい。
【００２７】
一実施例において、前記第４の決定モジュールは、
ブルートゥースを介して前記第３のスマートウェアラブルデバイスに接続される少なくとも一つの第４のスマートウェアラブルデバイスが存在するか否かを決定するように構成される第７の決定サブモジュールと、
ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するように構成される第８の決定サブモジュールと、
含むことができる。
【００２８】
本開示の実施例の第５側面によると、
プロセッサと、
プロセッサが実行可能な命令を記憶するためのメモリと、
を含むアラーム制御装置が提供され、
前記プロセッサは、
第１の端末機器のアラームの時点を決定して、
前記時点までの期間が予め設定された期間である場合、前記第１の端末機器と同一場面にある少なくとも一つの第２の端末機器が存在するか否かを決定し、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得し、
前記少なくとも一つのユーザの睡眠情報に基づいて、前記第１の端末機器のアラームと、前記第１の端末機器に関連付けられる第２のスマートウェアラブルデバイスの作動状態と、を制御するように構成される。
【００２９】
本開示の実施例の第６側面によると、
プロセッサと、
プロセッサが実行可能な命令を記憶するためのメモリと、
を含むアラーム制御装置が提供され、
前記プロセッサは、
第３のスマートウェアラブルデバイスのアラームの時点を決定し、
前記時点までの期間が予め設定された期間である場合、前記第３のスマートウェアラブルデバイスと同一場面にある少なくとも一つの第４のスマートウェアラブルデバイスが存在するか否かを決定し、
前記少なくとも一つの第４のスマートウェアラブルデバイスが存在する場合、前記少なくとも一つの第４のスマートウェアラブルデバイスから、対応する少なくとも一つのユーザの睡眠情報を取得し、
前記少なくとも一つのユーザの睡眠情報に基づいて、前記第３のスマートウェアラブルデバイスのアラームと、前記第３のスマートウェアラブルデバイスの作動状態と、を制御するように構成される。
【００３０】
本開示の実施例の第７側面によると、コンピュータプログラムを記憶するコンピュータ可読記憶媒体が提供され、前記コンピュータプログラムは、プロセッサによって実行される際に、上記方法のステップを実現する。
【００３１】
なお、上記の一般的な説明及び後述の詳細な説明は、例示的且つ解釈的なものであり、本開示を限定するものではないこと。
【図面の簡単な説明】
【００３２】
ここの図面は、本明細書に組み込まれて本明細書の一部を構成し、本開示に適用される実施例を示しており、本明細書と共に本開示の原理を説明する。
【００３３】
【図１Ａ】一例示的な実施例によって示されるアラーム制御方法のフローチャートである。
【図１Ｂ】一例示的な実施例によって示されるアラーム制御のシーングラフである。
【図２】例示的な実施例１により示されるアラーム制御方法のフローチャートである。
【図３】例示的な実施例２により示されるアラーム制御方法のフローチャートである。
【図４】例示的な実施例３により示されるアラーム制御方法のフローチャートである。
【図５Ａ】一例示的な実施例によって示されるアラーム制御方法のフローチャートである。
【図５Ｂ】一例示的な実施例によって示されるアラーム制御のシーングラフである。
【図６】例示的な実施例４により示されるアラーム制御方法のフローチャートである。
【図７Ａ】一例示的な実施例によって示されるアラーム制御装置のブロック図である。
【図７Ｂ】別の一例示的な実施例によって示されるアラーム制御装置のブロック図である。
【図７Ｃ】別の一例示的な実施例によって示されるアラーム制御装置のブロック図である。
【図７Ｄ】別の一例示的な実施例によって示されるアラーム制御装置のブロック図である。
【図７Ｅ】別の一例示的な実施例によって示されるアラーム制御装置のブロック図である。
【図８Ａ】一例示的な実施例によって示されるアラーム制御装置のブロック図である。
【図８Ｂ】別の一例示的な実施例によって示されるアラーム制御装置のブロック図である。
【図９】一例示的な実施例によって示されるアラーム制御装置のブロック図である。
【発明を実施するための形態】
【００３４】
ここでは、その例が図面に示されている例示的な実施例について詳しく説明する。以下の説明は、図面に係る場合に、他の示しがない限り、異なる図面における同一の数字は、同一又は類似の要素を表す。以下の例示的な実施例に記載されている実施形態は、本発明と一致する全ての実施形態を表すものではない。それらは、添付の特許請求の範囲に詳しく記載される本発明の一部側面と一致する装置及び方法の例だけである。
【００３５】
図１Ａは一例示的な実施例によって示されるアラーム制御方法のフローチャートであり、図１Ｂは一例示的な実施例によって示されるアラーム制御のシーングラフである。該アラーム制御方法は、端末機器（例えば、スマートフォンやタブレットＰＣ）に適用することができ、図１Ａに示すように、該アラーム制御方法は、以下のようなステップＳ１０１―Ｓ１０４を含む。
【００３６】
ステップＳ１０１において、第１の端末機器のアラームの時点を決定する。
【００３７】
本実施例において、アラームは、ユーザにより端末機器に設定される目覚まし時計により、該目覚まし時計にて予め設定された時点でベルが鳴ってユーザに通知される。一例示的な実施例において、ユーザは第１の端末機器に、時間通りに起床するようにユーザに通知するためのアラームを設定し、時点が朝の７：００である。すると、決定されるアラームの時点は、即ち朝の７：００である。
【００３８】
ステップＳ１０２において、時点までの期間が予め設定された期間である場合、第１の端末機器と同一場面にある少なくとも一つの第２の端末機器が存在するか否かを決定する。
【００３９】
本実施例において、現在時点からアラームの時点までの期間が予め設定された期間である場合、第１の端末機器と同一場面にある少なくとも一つの第２の端末機器が存在するか否かを決定する。上記例示的な実施例に続いて、予め設定された期間が１０分である場合、第１の端末機器は、６：５０で第１の端末機器と同一場面にある少なくとも一つの第２の端末機器が存在するか否かを決定する。
【００４０】
本実施例において、第１の端末機器は、様々な方法により第１の端末機器と同一場面にある少なくとも一つの第２の端末機器が存在するか否かを決定することができる。例えば、第１の端末機器は、ブルートゥースを介して第１の端末機器に接続される少なくとも一つの第２の端末機器が存在するか否かを決定することができ、存在する場合、ブルートゥースを介して第１の端末機器に接続される少なくとも一つの第２の端末機器を、第１の端末機器と同一場面にある前記少なくとも一つの第２の端末機器として決定する。また、例えば、第１の端末機器と、少なくとも一つの第２の端末機器とがＷＩＦＩ、ＷＩＦＩホットスポット、又はモバイルネットワークを介して接続される場合、上記少なくとも一つの第２の端末機器と第１の端末機器との間に対応する少なくとも一つの距離を決定することができ、少なくとも一つの距離と予め設定された距離とに基づいて、第１の端末機器と同一場面にある少なくとも一つの第２の端末機器が存在するか否かを決定する。一つの第２の端末機器と第１の端末機器との間の距離が予め設定された距離より小さい場合、該第２の端末機器と第１の端末機器とが同一場面にあると決定することができる。さらに、例えば、第１の端末機器は、前記第１の端末機器と同一家庭内のＷＩＦＩネットワークに接続される少なくとも一つの第２の端末機器が存在するか否かを決定することができ、存在する場合、第１の端末機器と同一家庭内のＷＩＦＩネットワークに接続される少なくとも一つの第２の端末機器を、第１の端末機器と同一場面にある少なくとも一つの第２の端末機器として決定する。
【００４１】
ステップＳ１０３において、少なくとも一つの第２の端末機器が存在する場合、少なくとも一つの第２の端末機器に対応付けられる少なくとも一つの第１のスマートウェアラブルデバイスから、対応する少なくとも一つのユーザの睡眠情報を取得する。
【００４２】
一例示的な実施例において、第２の端末機器Ａと、第２の端末機器Ｂと第１の端末機器とが同一場面にあり、第２の端末機器Ａと、第１のスマートウェアラブルデバイスＡとが関連付けられ、第２の端末機器Ｂと、第１のスマートウェアラブルデバイスＢとが関連付けられ、第１のスマートウェアラブルデバイスＡは、ユーザＡに装着され、第１のスマートウェアラブルデバイスＢは、ユーザＢに装着される。本ステップにおいて、第１の端末機器は、それと通信接続される第２の端末機器Ａを経由して、第１のスマートウェアラブルデバイスＡから、ユーザＡの睡眠情報を取得し、それと通信接続される第２の端末機器Ｂを経由して、第１のスマートウェアラブルデバイスＢから、ユーザＢの睡眠情報を取得する。睡眠情報は、ユーザが睡眠状態にあるか否かを示すことができる。
【００４３】
ステップＳ１０４において、少なくとも一つのユーザの睡眠情報に基づいて、第１の端末機器のアラーム及び第１の端末機器に関連付けられる第２のスマートウェアラブルデバイスの作動状態を制御する。
【００４４】
一実施例において、少なくとも一つのユーザの睡眠情報が、睡眠状態にあるユーザが少なくとも一つ存在すると示す場合、第１の端末機器は、第２のスマートウェアラブルデバイスに、前記時点で振動するように前記第２のスマートウェアラブルデバイスを制御するための振動制御情報を送信し、アラームを解除する。少なくとも一つのユーザの睡眠情報が、少なくとも一つのユーザがいずれも睡眠状態になっていないことを示す場合、上記時点でアラームをトリガするように第１の端末機器を制御する。
【００４５】
上記例示的な実施例に続いて、第１の端末機器は、ユーザＡの睡眠情報とユーザＢの睡眠情報とに基づいて、アラーム及び第１の端末機器に関連付けられる第２のスマートウェアラブルデバイスの作動状態を制御することができる。例えば、ユーザＡの睡眠情報が、ユーザＡが睡眠状態にあることを示す場合、及び／又はユーザＢの睡眠情報が、ユーザＢが睡眠状態にあることを示す場合、第１の端末機器は、アラームを解除し、第２のスマートウェアラブルデバイスに、アラームの時点で振動するように第２のスマートウェアラブルデバイスを制御するための振動制御情報を送信する。このようにして、独自のアラームが睡眠状態にある他のユーザの睡眠を妨げることを回避することができる。ユーザＡの睡眠情報が、ユーザＡが睡眠状態になっていないことを示し、また、ユーザＢの睡眠情報が、ユーザＢが睡眠状態になっていないことを示す場合、アラームの時点でアラームをトリガするように第１の端末機器を制御する。
【００４６】
図１Ｂに示すように、ある例示的な場面において、ユーザ１の携帯電話１１と、ユーザ１に装着されるスマートウェアラブルデバイス１３とは、関連付けられ、ユーザ２の携帯電話１２と、ユーザ２に装着されるスマートウェアラブルデバイス１４とは、関連付けられ、携帯電話１１と携帯電話１２とは、通信接続されている。本例示的な場面において、携帯電話１１と携帯電話１２とが通信する際に、いずれも同一家庭内のＷＩＦＩネットワークに接続される。携帯電話１１には、アラームが設定され、アラームに対応する時点が朝の７：００である。携帯電話１１には、さらに、携帯電話１１が「携帯電話１１と同一場面にある少なくとも一つの端末機器（例えば、携帯電話、ＰＡＤなど）が存在するか否かを決定する」ことを実行する時点を制御するための、１０分の予め設定された期間が設定される。携帯電話１１が、現在時刻が６：５０であることを検出する場合、「７：００までの期間が１０分である」という条件に該当し、携帯電話１１は、「携帯電話１１と携帯電話１２とが通信する際に、いずれも同一家庭内のＷＩＦＩネットワークに接続される」ことに基づいて、携帯電話１１と同一場面にある携帯電話１２が存在すると決定する。そして、携帯電話１１は、ユーザ２の睡眠情報を取得するよう要請する命令を携帯電話１２に送信し、携帯電話１２は、該命令を受信する場合、スマートウェアラブルデバイス１４により観測されたユーザ２の睡眠情報を携帯電話１１にフィードバックする。携帯電話１１は、ユーザ２の睡眠情報に基づいて、アラーム及びスマートウェアラブルデバイス１３の作動状態を制御する。ユーザ２の睡眠情報が、ユーザ２が睡眠状態にあることを示す場合、携帯電話１１は、アラームを解除し、スマートウェアラブルデバイス１３に、７：００に振動するようにスマートウェアラブルデバイス１３を制御するための振動制御情報を送信する。このようにして、アラームがユーザ２の睡眠に影響を与えることを回避することができる。ユーザ２の睡眠情報が、ユーザ２が睡眠状態になっていないことを示す場合、携帯電話１１は、７：００にアラームをトリガする。以上より、携帯電話１１は、ユーザ２の睡眠情報に基づいて、アラーム及びスマートウェアラブルデバイス１３の作動状態を弾力的に制御することができる。
【００４７】
本実施例において、第１の端末機器のアラームの時点までの期間が予め設定された期間である場合、第１の端末機器と同一場面にある第２の端末機器が存在すると決定された場合、第２の端末機器に関連付けられる第１のスマートウェアラブルデバイスから、第１のスマートウェアラブルデバイスを装着するユーザの睡眠情報を取得し、ユーザの睡眠情報に基づいて、アラーム及び第１の端末機器に関連付けられる第２のスマートウェアラブルデバイスの作動状態を制御する。このようにして、ユーザの睡眠情報に基づいて、アラームを弾力的に制御することができる。
【００４８】
一実施例において、前記少なくとも一つのユーザの睡眠情報に基づいて、前記第１の端末機器のアラームと、前記第１の端末機器に関連付けられる第２のスマートウェアラブルデバイスの作動状態と、を制御するステップは、
前記少なくとも一つのユーザの睡眠情報が、睡眠状態にあるユーザが少なくとも一つ存在すると示す場合、前記第２のスマートウェアラブルデバイスに、前記時点で振動するように前記第２のスマートウェアラブルデバイスを制御するための振動制御情報を送信し、前記アラームを解除するステップを含むことができる。
【００４９】
一実施例において、前記少なくとも一つのユーザの睡眠情報に基づいて、前記第１の端末機器のアラームと、前記第１の端末機器に関連付けられる第２のスマートウェアラブルデバイスの作動状態と、を制御するステップは、
前記少なくとも一つのユーザの睡眠情報が、前記少なくとも一つのユーザがいずれも睡眠状態になっていないと示す場合、前記時点で前記アラームをトリガするように前記第１の端末機器を制御するステップを含むことができる。
【００５０】
一実施例において、前記第１の端末機器と同一場面にある少なくとも一つの第２の端末機器が存在するか否かを決定するステップは、
ブルートゥースを介して前記第１の端末機器に接続される少なくとも一つの第２の端末機器が存在するか否かを決定するステップと、
存在する場合、ブルートゥースを介して前記第１の端末機器に接続される少なくとも一つの第２の端末機器を、前記第１の端末機器と同一場面にある前記少なくとも一つの第２の端末機器として決定するステップと、含むことができる。
【００５１】
一実施例において、前記第１の端末機器と同一場面にある少なくとも一つの第２の端末機器が存在するか否かを決定するステップは、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するステップと、
前記少なくとも一つの距離と予め設定された距離とに基づいて、前記第１の端末機器と同一場面にある少なくとも一つの第２の端末機器が存在するか否かを決定するステップと、含むことができる。
【００５２】
一実施例において、前記第１の端末機器と同一場面にある少なくとも一つの第２の端末機器が存在するか否かを決定するステップは、
前記第１の端末機器と同一家庭内のＷＩＦＩネットワークに接続される少なくとも一つの第２の端末機器が存在するか否かを決定するステップと、
存在する場合、前記第１の端末機器と同一家庭内のＷＩＦＩネットワークに接続される少なくとも一つの第２の端末機器を、前記第１の端末機器と同一場面にある前記少なくとも一つの第２の端末機器として決定するステップと、含むことができる。
【００５３】
具体的に、アラームを如何に制御するについては、後続の実施例を参考する。
【００５４】
以上で、本開示の実施例により提供される上記方法は、第１の端末機器のアラームの時点までの期間が予め設定された期間である場合、第１の端末機器と同一場面にある第２の端末機器が存在すると決定された場合、第２の端末機器に関連付けられる第１のスマートウェアラブルデバイスから、第１のスマートウェアラブルデバイスを装着するユーザの睡眠情報を取得し、ユーザの睡眠情報に基づいて、アラーム及び第１の端末機器に関連付けられる第２のスマートウェアラブルデバイスの作動状態を制御する。このようにして、ユーザの睡眠情報に基づいて、アラームを弾力的に制御することができる。
【００５５】
以下、具体的な実施例で本開示の実施例により提供される技術案を説明する。
【００５６】
図２は例示的な実施例１により示されるアラーム制御方法のフローチャートであり、本実施例は、本開示の実施例により提供される上記方法を利用して、ブルートゥース接続の有効距離を利用して第１の端末機器と同一場面にある第２の端末機器を決定することを例として、例示的な説明を行い、図２に示すように、以下のようなステップを含む。
【００５７】
ステップＳ２０１において、第１の端末機器のアラームの時点を決定する。
【００５８】
本実施例におけるステップＳ２０１は、図１Ａに示される実施例におけるステップＳ１０１と類似であるため、ここでは詳しく説明しない。
【００５９】
ステップＳ２０２において、前記時点までの期間が予め設定された期間である場合、ブルートゥースを介して前記第１の端末機器に接続される少なくとも一つの第２の端末機器が存在するか否かを決定する。存在する場合、ステップＳ２０３を実行する。
【００６０】
ステップＳ２０３において、ブルートゥースを介して第１の端末機器に接続される少なくとも一つの第２の端末機器を、第１の端末機器と同一場面にある少なくとも一つの第２の端末機器として決定する。
【００６１】
本実施例において、第１の端末機器は、上記時点までの期間が予め設定された期間である場合、ブルートゥースを介して第１の端末機器に接続される少なくとも一つの第２の端末機器が存在するか否かを決定することができる。ブルートゥースを介して第１の端末機器に接続される少なくとも一つの第２の端末機器が存在すると決定された場合、ブルートゥースを介して第１の端末機器に接続される少なくとも一つの第２の端末機器を、第１の端末機器と同一場面にある少なくとも一つの第２の端末機器として決定する。ブルートゥースを介して第１の端末機器と接続することができるということは、第２の端末機器と第１の端末機器との距離がブルートゥースの有効距離内にあることを説明し、ブルートゥースの有効距離は、一般的に１０メートル乃至数十メートルであるため、ブルートゥースを介して第１の端末機器に接続される第２の端末機器と、第１の端末機器とが同一場面にあると決定することができる。
【００６２】
ステップＳ２０４において、少なくとも一つの第２の端末機器に対応付けられる少なくとも一つの第１のスマートウェアラブルデバイスから、対応する少なくとも一つのユーザの睡眠情報を取得する。
【００６３】
ステップＳ２０５において、前記少なくとも一つのユーザの睡眠情報に基づいて、前記第１の端末機器のアラームと、前記第１の端末機器に関連付けられる第２のスマートウェアラブルデバイスの作動状態と、を制御する。
【００６４】
本実施例におけるステップＳ２０４〜Ｓ２０５は、図１Ａに示される実施例におけるステップＳ１０３〜Ｓ１０４と類似であるため、ここでは詳しく説明しない。
【００６５】
本実施例において、ブルートゥースを介して第１の端末機器に接続される第２の端末機器が存在するか否かを決定することにより、第１の端末機器と同一場面にある第２の端末機器が存在するか否かを決定するため、方法が簡単で、実現しやすく、確率が高い。
【００６６】
図３は例示的な実施例２により示されるアラーム制御方法のフローチャートであり、本実施例は、本開示の実施例により提供される上記方法を利用して、端末機器間の距離と予め設定された距離とに基づいて、第１の端末機器と同一場面にある第２の端末機器を決定することを例として、例示的な説明を行い、図３に示すように、以下のようなステップを含む。
【００６７】
ステップＳ３０１において、第１の端末機器のアラームの時点を決定する。
【００６８】
本実施例におけるステップＳ３０１は、図１Ａに示される実施例におけるステップＳ１０１と類似であるため、ここでは詳しく説明しない。
【００６９】
ステップＳ３０２において、前記時点までの期間が予め設定された期間である場合、第１の端末機器と、少なくとも一つの第２の端末機器とがＷＩＦＩ、ＷＩＦＩホットスポット、又はモバイルネットワークを介して接続される場合、少なくとも一つの第２の端末機器と第１の端末機器との間に対応する少なくとも一つの距離を決定する。
【００７０】
ステップＳ３０３において、少なくとも一つの距離と予め設定された距離とに基づいて、第１の端末機器と同一場面にある少なくとも一つの第２の端末機器が存在するか否かを決定する。存在する場合、ステップＳ３０４を実行する。
【００７１】
本実施例において、第１の端末機器と同一場面にある少なくとも一つの第２の端末機器が存在するか否かを決定する際に、先ずＷＩＦＩ、ＷＩＦＩホットスポット、又はモバイルネットワークを介して第１の端末機器に接続される第２の端末機器と、第１の端末機器との間の距離を決定し、さらに、第２の端末機器と第１の端末機器との間の距離及び予め設定された距離に基づいて、第１の端末機器と同一場面にある第２の端末機器が存在するか否かを決定する。第２の端末機器と第１の端末機器との間の距離が予め設定された距離より小さい場合、第２の端末機器と第１の端末機器とが同一場面にあると決定する。
【００７２】
一例示的な実施例において、第２の端末機器Ａと第２の端末機器Ｂとは、ＷＩＦＩを介して第１の端末機器に接続される。第１の端末機器は、第１の端末機器と同一場面にある少なくとも一つの第２の端末機器が存在するか否かを決定する際に、先ず衛星測位（例えば、ＧＰＳ測位）により、第１の端末機器の位置、第２の端末機器Ａの位置及び第２の端末機器Ｂの位置を決定し、さらに、第１の端末機器の位置、第２の端末機器Ａの位置及び第２の端末機器Ｂの位置に基づいて、第１の端末機器の位置と第２の端末機器Ａとの間の第１距離、及び第１の端末機器の位置と第２の端末機器Ｂとの間の第２距離を決定する。次に、第１距離と予め設定された距離とを比較し、及び第２距離と予め設定された距離とを比較する。第１距離が予め設定された距離より小さい場合、第２の端末機器Ａと第１の端末機器とが同一場面にあると決定し、第２距離が予め設定された距離より小さい場合、第２の端末機器Ｂと第１の端末機器とが同一場面にあると決定する。通常、二つの端末機器間の距離が一定の距離より小さい場合、この二つの端末機器が同一場面にあると決定することができる。機器間の距離と予め設定された距離との比較により、第１の端末機器と同一場面にある少なくとも一つの第２の端末機器が存在するか否かを決定し、確率が高い。
【００７３】
ステップＳ３０４において、少なくとも一つの第２の端末機器に対応付けられる少なくとも一つの第１のスマートウェアラブルデバイスから、対応する少なくとも一つのユーザの睡眠情報を取得する。
【００７４】
ステップＳ３０５において、前記少なくとも一つのユーザの睡眠情報に基づいて、前記第１の端末機器のアラームと、前記第１の端末機器に関連付けられる第２のスマートウェアラブルデバイスの作動状態と、制御する。
【００７５】
本実施例におけるステップＳ３０４〜Ｓ３０５は、図１Ａに示される実施例におけるステップＳ１０３〜Ｓ１０４と類似であるため、ここでは詳しく説明しない。
【００７６】
本実施例において、端末機器間の距離と予め設定された距離との関係に基づいて、第１の端末機器と同一場面にある少なくとも一つの第２の端末機器が存在するか否かを決定し、確率が高い。
【００７７】
図４は例示的な実施例３により示されるアラーム制御方法のフローチャートであり、本実施例は、本開示の実施例により提供される上記方法を利用して、同一家庭内のＷＩＦＩネットワークに接続されるか否かを決定することにより、第１の端末機器と同一場面にある第２の端末機器を決定することを例として、例示的な説明を行い、図４に示すように、以下のようなステップを含む。
【００７８】
ステップＳ４０１において、第１の端末機器のアラームの時点を決定する。
【００７９】
本実施例におけるステップＳ４０１は、図１Ａに示される実施例におけるステップＳ１０１と類似であるため、ここでは詳しく説明しない。
【００８０】
ステップＳ４０２において、前記時点までの期間が予め設定された期間である場合、第１の端末機器と同一家庭内のＷＩＦＩネットワークに接続される少なくとも一つの第２の端末機器が存在するか否かを決定する。存在する場合、ステップＳ４０３を実行する。
【００８１】
ステップＳ４０３において、第１の端末機器と同一家庭内のＷＩＦＩネットワークに接続される少なくとも一つの第２の端末機器を、第１の端末機器と同一場面にある少なくとも一つの第２の端末機器として決定する。
【００８２】
本実施例において、第１の端末機器と同一場面にある少なくとも一つの第２の端末機器が存在するか否かを決定する際に、第１の端末機器は、第１の端末機器と同一家庭内のＷＩＦＩネットワークに接続される第２の端末機器が存在するか否かを決定し、存在する場合、第１の端末機器と同一家庭内のＷＩＦＩネットワークに接続される少なくとも一つの第２の端末機器を、第１の端末機器と同一場面にある少なくとも一つの第２の端末機器として決定する。
【００８３】
一例示的な実施例において、第１の端末機器は、ルータのモデルにより、接続されるネットワークが家庭内のＷＩＦＩネットワークに属するか否かを決定することができる。
【００８４】
一例示的な実施例において、第１の端末機器は、モデルがＡＡＡＡのルータに接続される。第１の端末機器は、第２の端末機器Ａと第２の端末機器Ｂも上記ルータに接続されると決定された場合、上記ルータのモデルに基づいて、上記ルータが家庭用ルータに属するか否かを決定する。上記ルータが家庭用ルータに属すると決定された場合、第２の端末機器Ａ、第２の端末機器Ｂ及び第１の端末機器がいずれも同一家庭内のＷＩＦＩネットワークに接続されると決定する。
【００８５】
ステップＳ４０４において、少なくとも一つの第２の端末機器に対応付けられる少なくとも一つの第１のスマートウェアラブルデバイスから、対応する少なくとも一つのユーザの睡眠情報を取得する。
【００８６】
ステップＳ４０５において、少なくとも一つのユーザの睡眠情報に基づいて、第１の端末機器のアラーム及び第１の端末機器に関連付けられる第２のスマートウェアラブルデバイスの作動状態を制御する。
【００８７】
本実施例におけるステップＳ４０４〜Ｓ４０５は、図１Ａに示される実施例におけるステップＳ１０３〜Ｓ１０４と類似であるため、ここでは詳しく説明しない。
【００８８】
本実施例において、第１の端末機器とともに、同一家庭内のＷＩＦＩネットワークに接続されるか否かを決定することにより、第１の端末機器と同一場面にある少なくとも一つの第２の端末機器が存在するか否かを決定し、確率が高く、実用性が強い。
【００８９】
図５Ａは一例示的な実施例によって示されるアラーム制御方法のフローチャートであり、図５Ｂは一例示的な実施例によって示されるアラーム制御のシーングラフである。該アラーム制御方法は、端末機器（例えば、スマートフォンやタブレットＰＣ）に適用することができ、図５Ａに示すように、該アラーム制御方法は、以下のようなステップＳ５０１〜Ｓ５０４を含む。
【００９０】
ステップＳ５０１において、第３のスマートウェアラブルデバイスのアラームの時点を決定する。
【００９１】
本実施例において、アラームは、ユーザによりスマートウェアラブルデバイスに設定される目覚まし時計により、該目覚まし時計にて予め設定された時点でベルが鳴ってユーザに通知されることである。一例示的な実施例において、ユーザは第３のスマートウェアラブルデバイスに、時間通りに起床するようにユーザに通知するためのアラームを設定し、時点が朝の７：００である。すると、決定されるアラームの時点は、即ち朝の７：００である。
【００９２】
ステップＳ５０２において、前記時点までの期間が予め設定された期間である場合、前記第３のスマートウェアラブルデバイスと同一場面にある少なくとも一つの第４のスマートウェアラブルデバイスが存在するか否かを決定する。
【００９３】
本実施例において、現在時点からアラームの時点までの期間が予め設定された期間である場合、第３のスマートウェアラブルデバイスと同一場面にある少なくとも一つの第４のスマートウェアラブルデバイスが存在するか否かを決定する。上記例示的な実施例に続いて、予め設定された期間が１０分である場合、第３のスマートウェアラブルデバイスは、６：５０に第３のスマートウェアラブルデバイスと同一場面にある少なくとも一つの第４のスマートウェアラブルデバイスが存在するか否かを決定する。
【００９４】
本実施例において、第３のスマートウェアラブルデバイスは、第３のスマートウェアラブルデバイスと同一場面にある少なくとも一つの第４のスマートウェアラブルデバイスが存在するか否かを決定する際に、ブルートゥースを介して第３のスマートウェアラブルデバイスに接続される少なくとも一つの第４のスマートウェアラブルデバイスが存在するか否かを決定することができ、存在する場合、ブルートゥースを介して第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定する。
【００９５】
ステップＳ５０３において、少なくとも一つの第４のスマートウェアラブルデバイスが存在する場合、少なくとも一つの第４のスマートウェアラブルデバイスから、対応する少なくとも一つのユーザの睡眠情報を取得する。
【００９６】
一例示的な実施例において、第４のスマートウェアラブルデバイスＡと、第４のスマートウェアラブルデバイスＢと、第３のスマートウェアラブルデバイスとが同一場面にある。第４のスマートウェアラブルデバイスＡは、ユーザＡに装着され、第４のスマートウェアラブルデバイスＢは、ユーザＢに装着され、第３のスマートウェアラブルデバイスは、ユーザＣに装着される。本ステップにおいて、第３のスマートウェアラブルデバイスは、それと通信接続される第４のスマートウェアラブルデバイスＡを経由して、ユーザＡの睡眠情報を取得し、それと通信接続される第４のスマートウェアラブルデバイスＢを経由して、ユーザＢの睡眠情報を取得する。
【００９７】
ステップＳ５０４において、少なくとも一つのユーザの睡眠情報に基づいて、第３のスマートウェアラブルデバイスのアラームと第３のスマートウェアラブルデバイスの作動状態とを制御する。
【００９８】
一実施例において、少なくとも一つのユーザの睡眠情報が、睡眠状態にあるユーザが少なくとも一つ存在すると示す場合、アラームを解除し、上記時点で振動するように第３のスマートウェアラブルデバイスを制御する。少なくとも一つのユーザの睡眠情報が、少なくとも一つのユーザがいずれも睡眠状態になっていないことを示す場合、上記時点でアラームをトリガするように第３のスマートウェアラブルデバイスを制御する。
【００９９】
上記例示的な実施例に続いて、第３のスマートウェアラブルデバイスは、ユーザＡの睡眠情報とユーザＢの睡眠情報とに基づいて、アラームと第３のスマートウェアラブルデバイスとの作動状態を制御することができる。例えば、ユーザＡの睡眠情報が、ユーザＡが睡眠状態にあることを示す場合、及び/又はユーザＢの睡眠情報が、ユーザＢが睡眠状態にあることを示す場合、第３のスマートウェアラブルデバイスは、アラームを解除し、上記時点で振動するように第３のスマートウェアラブルデバイスを制御する。このようにして、第３のスマートウェアラブルデバイスのアラーム（ユーザＣにより設定される）が睡眠状態にあるユーザＡとユーザＢの睡眠を妨げるのを回避することができる。ユーザＡの睡眠情報が、ユーザＡが睡眠状態になっていないことを示し、かつ、ユーザＢの睡眠情報が、ユーザＢが睡眠状態になっていないことを示す場合、上記時点で前記アラームをトリガするように第３のスマートウェアラブルデバイスを制御する。
【０１００】
図５Ｂに示すように、一例示的な場面において、スマートウェアラブルデバイス１３と、スマートウェアラブルデバイス１４とは、ブルートゥースを介して通信接続されている。スマートウェアラブルデバイス１３は、ユーザ１に装着され、スマートウェアラブルデバイス１４は、ユーザ２に装着される。スマートウェアラブルデバイス１３には、アラームが設定され、アラームに対応する時点が朝の７：００である。スマートウェアラブルデバイス１３には、さらに、スマートウェアラブルデバイス１３が「スマートウェアラブルデバイス１３と同一場面にある少なくとも一つのスマートウェアラブルデバイスが存在するか否かを決定する」ことを実行する時点を制御するための、１０分の予め設定された期間が設定される。スマートウェアラブルデバイス１３が、現在時刻が６：５０であることを検出する場合、「７：００までの期間が１０分である」という条件に該当し、スマートウェアラブルデバイス１３は、「スマートウェアラブルデバイス１３と、スマートウェアラブルデバイス１４とは、ブルートゥースを介して通信接続される」ことに基づいて、スマートウェアラブルデバイス１３と同一場面にあるスマートウェアラブルデバイス１４が存在すると決定する。そして、スマートウェアラブルデバイス１３は、ユーザ２の睡眠情報を取得するよう要請する命令をスマートウェアラブルデバイス１４に送信し、スマートウェアラブルデバイス１４は、該命令を受信する場合、スマートウェアラブルデバイス１４により観測されたユーザ２の睡眠情報をスマートウェアラブルデバイス１３にフィードバックする。スマートウェアラブルデバイス１３は、ユーザ２の睡眠情報に基づいて、アラーム及びスマートウェアラブルデバイス１３の作動状態を制御する。ユーザ２の睡眠情報が、ユーザ２が睡眠状態にあることを示す場合、スマートウェアラブルデバイス１３は、アラームを解除し、７：００に振動するようにスマートウェアラブルデバイス１３を制御する。このようにして、アラームがユーザ２の睡眠に影響を与えることを回避することができる。ユーザ２の睡眠情報が、ユーザ２が睡眠状態になっていないことを示す場合、スマートウェアラブルデバイス１３は、７：００にアラームをトリガする。以上より、スマートウェアラブルデバイス１３は、ユーザ２の睡眠情報に基づいて、アラーム及びスマートウェアラブルデバイス１３の作動状態を弾力的に制御することができる。
【０１０１】
本実施例において、第３のスマートウェアラブルデバイスのアラームの時点までの期間が予め設定された期間である場合、第３のスマートウェアラブルデバイスと同一場面にある第４のスマートウェアラブルデバイスが存在すると決定された場合、第３のスマートウェアラブルデバイスは、第４のスマートウェアラブルデバイスを装着するユーザの睡眠情報を取得し、ユーザの睡眠情報に基づいて、アラームと第３のスマートウェアラブルデバイスの作動状態とを制御する。このようにして、ユーザの睡眠情報に基づいて、アラームを弾力的に制御することができる。
【０１０２】
一実施例において、前記少なくとも一つのユーザの睡眠情報に基づいて、前記第３のスマートウェアラブルデバイスのアラームと前記第３のスマートウェアラブルデバイスの作動状態とを制御するステップは、
前記少なくとも一つのユーザの睡眠情報が、睡眠状態にあるユーザが少なくとも一つ存在すると示す場合、前記アラームを解除し、前記時点で振動するように前記第３のスマートウェアラブルデバイスを制御するステップを含むことができる。
【０１０３】
一実施例において、前記少なくとも一つのユーザの睡眠情報に基づいて、前記第３のスマートウェアラブルデバイスのアラームと前記第３のスマートウェアラブルデバイスの作動状態とを制御するステップは、
前記少なくとも一つのユーザの睡眠情報が、前記少なくとも一つのユーザがいずれも睡眠状態になっていないと示す場合、前記時点で前記アラームをトリガするように前記第３のスマートウェアラブルデバイスを制御するステップを含むことができる。
【０１０４】
一実施例において、前記第３のスマートウェアラブルデバイスと同一場面にある少なくとも一つの第４のスマートウェアラブルデバイスが存在するか否かを決定するステップは、
ブルートゥースを介して前記第３のスマートウェアラブルデバイスに接続される少なくとも一つの第４のスマートウェアラブルデバイスが存在するか否かを決定するステップと、
存在する場合、ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するステップと、含むことができる。
【０１０５】
具体的に、アラームを如何に制御するについては、後続の実施例を参考する。
【０１０６】
以上で、本開示の実施例により提供される上記方法は、第３のスマートウェアラブルデバイスのアラームの時点までの期間が予め設定された期間である場合、第３のスマートウェアラブルデバイスと同一場面にある第４のスマートウェアラブルデバイスが存在すると決定された場合、第３のスマートウェアラブルデバイスは、第４のスマートウェアラブルデバイスを装着するユーザの睡眠情報を取得し、ユーザの睡眠情報に基づいて、アラームと第３のスマートウェアラブルデバイスの作動状態とを制御する。このようにして、ユーザの睡眠情報に基づいて、アラームを弾力的に制御することができる。
【０１０７】
以下、具体的な実施例で本開示の実施例により提供される技術案を説明する。
【０１０８】
図６は例示的な実施例４により示されるアラーム制御方法のフローチャートであり、本実施例は、本開示の実施例により提供される上記方法を利用して、ブルートゥース接続の有効距離を利用して第３のスマートウェアラブルデバイスと同一場面にある第４のスマートウェアラブルデバイスを決定することを例として、例示的な説明を行い、図６に示すように、以下のようなステップを含む。
【０１０９】
ステップＳ６０１において、第３のスマートウェアラブルデバイスのアラームの時点を決定する。
【０１１０】
本実施例におけるステップＳ６０１は、図５Ａに示される実施例におけるステップＳ５０１と類似であるため、ここでは詳しく説明しない。
【０１１１】
ステップＳ６０２において、前記時点までの期間が予め設定された期間である場合、ブルートゥースを介して前記第３のスマートウェアラブルデバイスに接続される少なくとも一つの第４のスマートウェアラブルデバイスが存在するか否かを決定する。存在する場合、ステップＳ６０３を実行する。
【０１１２】
ステップＳ６０３において、ブルートゥースを介して第３のスマートウェアラブルデバイスに接続される少なくとも一つの第４のスマートウェアラブルデバイスを、第３のスマートウェアラブルデバイスと同一場面にある少なくとも一つの第４のスマートウェアラブルデバイスとして決定する。
【０１１３】
本実施例において、第３のスマートウェアラブルデバイスは、上記時点までの期間が予め設定された期間である場合、ブルートゥースを介して第３のスマートウェアラブルデバイスに接続される少なくとも一つの第４のスマートウェアラブルデバイスが存在するか否かを決定することができ、ブルートゥースを介して第３のスマートウェアラブルデバイスに接続される少なくとも一つの第４のスマートウェアラブルデバイスが存在すると決定された場合、ブルートゥースを介して第３のスマートウェアラブルデバイスに接続される少なくとも一つの第４のスマートウェアラブルデバイスを、第３のスマートウェアラブルデバイスと同一場面にある少なくとも一つの第４のスマートウェアラブルデバイスとして決定する。ブルートゥースを介して第３のスマートウェアラブルデバイスと接続することができるということは、第４のスマートウェアラブルデバイスと第３のスマートウェアラブルデバイスとの距離がブルートゥースの有効距離内にあることを説明し、ブルートゥースの有効距離は、一般的に１０メートル乃至数十メートルであるため、ブルートゥースを介して第３のスマートウェアラブルデバイスに接続される第４のスマートウェアラブルデバイスと、第３のスマートウェアラブルデバイスとが同一場面にあると決定することができる。
【０１１４】
ステップＳ６０４において、少なくとも一つの第４のスマートウェアラブルデバイスから、対応する少なくとも一つのユーザの睡眠情報を取得する。
【０１１５】
ステップＳ６０５において、少なくとも一つのユーザの睡眠情報に基づいて、第３のスマートウェアラブルデバイスのアラームと、第３のスマートウェアラブルデバイスの作動状態と、を制御する。
【０１１６】
本実施例におけるステップＳ６０４〜Ｓ６０５は、図５Ａに示される実施例におけるステップＳ５０３〜Ｓ５０４と類似であるため、ここでは詳しく説明しない。
【０１１７】
本実施例において、ブルートゥースを介して第３のスマートウェアラブルデバイスに接続される第４のスマートウェアラブルデバイスが存在するか否かを決定することにより、第３のスマートウェアラブルデバイスと同一場面にある第４のスマートウェアラブルデバイスが存在するか否かを決定するため、方法が簡単で、実現しやすく、確率が高い。
【０１１８】
図７Ａは一例示的な実施例によって示されるアラーム制御装置のブロック図であり、図７Ａに示すように、アラーム制御装置は、
第１の端末機器のアラームの時点を決定するように構成される第１の決定モジュール７１と、
前記時点までの期間が予め設定された期間である場合、前記第１の端末機器と同一場面にある少なくとも一つの第２の端末機器が存在するか否かを決定するように構成される第２の決定モジュール７２と、
前記少なくとも一つの第２の端末機器が存在する場合、前記少なくとも一つの第２の端末機器に対応付けられる少なくとも一つの第１のスマートウェアラブルデバイスから、対応する少なくとも一つのユーザの睡眠情報を取得するように構成される第１の取得モジュール７３と、
前記少なくとも一つのユーザの睡眠情報に基づいて、前記第１の端末機器のアラームと、前記第１の端末機器に関連付けられる第２のスマートウェアラブルデバイスの作動状態と、を制御するように構成される第１の制御モジュール７４と、
を含む。
【０１１９】
図７Ｂに示すように、一例示的な実施例において、前記第１の制御モジュール７４は、
前記少なくとも一つのユーザの睡眠情報が、睡眠状態にあるユーザが少なくとも一つ存在すると示す場合、前記第２のスマートウェアラブルデバイスに、前記時点で振動するように前記第２のスマートウェアラブルデバイスを制御するための振動制御情報を送信するように構成される第１の送信サブモジュール７４１と、
前記アラームを解除するように構成される第１の制御サブモジュール７４２と、
含むことができる。
【０１２０】
一例示的な実施例において、前記第１の制御モジュールは、前記少なくとも一つのユーザの睡眠情報が、前記少なくとも一つのユーザがいずれも睡眠状態になっていないと示す場合、前記時点で前記アラームをトリガするように前記第１の端末機器を制御するように構成されてもよい。
【０１２１】
図７Ｃに示すように、一例示的な実施例において、前記第２の決定モジュール７２は、
ブルートゥースを介して前記第１の端末機器に接続される少なくとも一つの第２の端末機器が存在するか否かを決定するように構成される第１の決定サブモジュール７２１と、
ブルートゥースを介して前記第１の端末機器に接続される少なくとも一つの第２の端末機器を、前記第１の端末機器と同一場面にある前記少なくとも一つの第２の端末機器として決定するように構成される第２の決定サブモジュール７２２と、
含むことができる。
【０１２２】
図７Ｄに示すように、一例示的な実施例において、前記第２の決定モジュール７２は、
前記第１の端末機器と、少なくとも一つの第２の端末機器とが、ＷＩＦＩ、ＷＩＦＩホットスポット、又はモバイルネットワークを介して接続される場合、前記少なくとも一つの第２の端末機器と前記第１の端末機器との間に対応する少なくとも一つの距離を決定するように構成される第３の決定サブモジュール７２３と、
前記少なくとも一つの距離と予め設定された距離とに基づいて、前記第１の端末機器と同一場面にある少なくとも一つの第２の端末機器が存在するか否かを決定するように構成される第４の決定サブモジュール７２４と、
含むことができる。
【０１２３】
図７Ｅに示すように、一例示的な実施例において、前記第２の決定モジュール７２は、
前記第１の端末機器と同一家庭内のＷＩＦＩネットワークに接続される少なくとも一つの第２の端末機器が存在するか否かを決定するように構成される第５の決定サブモジュール７２５と、
前記第１の端末機器と同一家庭内のＷＩＦＩネットワークに接続される少なくとも一つの第２の端末機器を、前記第１の端末機器と同一場面にある前記少なくとも一つの第２の端末機器として決定するように構成される第６の決定サブモジュール７２６と、
含むことができる。
【０１２４】
図８Ａは一例示的な実施例によって示されるアラーム制御装置のブロック図であり、図８Ａに示すように、アラーム制御装置は、
第３のスマートウェアラブルデバイスのアラームの時点を決定するように構成される第３の決定モジュール８１と、
前記時点までの期間が予め設定された期間である場合、前記第３のスマートウェアラブルデバイスと同一場面にある少なくとも一つの第４のスマートウェアラブルデバイスが存在するか否かを決定するように構成される第４の決定モジュール８２と、
前記少なくとも一つの第４のスマートウェアラブルデバイスが存在する場合、前記少なくとも一つの第４のスマートウェアラブルデバイスから、対応する少なくとも一つのユーザの睡眠情報を取得するように構成される第２の取得モジュール８３と、
前記少なくとも一つのユーザの睡眠情報に基づいて、前記第３のスマートウェアラブルデバイスのアラームと、前記第３のスマートウェアラブルデバイスの作動状態と、を制御するように構成される第２の制御モジュール８４と、
を含む。
【０１２５】
一例示的な実施例において、前記第２の制御モジュール８４は、更に、前記少なくとも一つのユーザの睡眠情報が、睡眠状態にあるユーザが少なくとも一つ存在すると示す場合、前記アラームを解除し、前記時点で振動するように前記第３のスマートウェアラブルデバイスを制御するように構成されてもよい。
【０１２６】
一例示的な実施例において、前記第２の制御モジュール８４は、更に、前記少なくとも一つのユーザの睡眠情報が、前記少なくとも一つのユーザがいずれも睡眠状態になっていないと示す場合、前記時点で前記アラームをトリガするように前記第３のスマートウェアラブルデバイスを制御するように構成されてもよい。
【０１２７】
図８Ｂに示すように、一例示的な実施例において、前記第４の決定モジュール８２は、
ブルートゥースを介して前記第３のスマートウェアラブルデバイスに接続される少なくとも一つの第４のスマートウェアラブルデバイスが存在するか否かを決定するように構成される第７の決定サブモジュール８２１と、
ブルートゥースを介して前記第３のスマートウェアラブルデバイスに接続される少なくとも一つの第４のスマートウェアラブルデバイスを、第３のスマートウェアラブルデバイスと同一場面にある前記少なくとも一つの第４のスマートウェアラブルデバイスとして決定するように構成される第８の決定サブモジュール８２２と、
含むことができる。
【０１２８】
上記実施例における装置に関しては、各モジュールが操作を実行する具体的な方式は、既に該方法に関する実施例において詳しく説明されたので、ここでは、詳しく説明しない。
【０１２９】
図９は、一例示的な実施例によって示されるアラーム制御装置のブロック図である。例えば、装置９００は、携帯電話、コンピュータ、デジタル放送端末、メッセージ送受信機器、ゲームコンソール、タブレットデバイス、医療機器、フィットネス機器、パーソナルデジタルアシスタンスなどであってもよい。
【０１３０】
図９を参照すると、装置９００は、プロセッサユニット９０２と、メモリ９０４と、電源ユニット９０６と、マルチメディアユニット９０８と、オーディオユニット９１０と、入力／出力（Ｉ／Ｏ）インタフェース９１２と、センサユニット９１４と、通信ユニット９１６とのうちの１つ又は複数のユニット含んでもよい。
【０１３１】
プロセッサユニット９０２は、通常に装置９００の全体的な操作、例えば、表示と、電話の呼び出しと、データ通信と、カメラ操作と、記録操作とに関する操作などを制御する。プロセッサユニット９０２は、上記の方法におけるステップの全部又は一部を完成するための命令を実行する１つ又は複数のプロセッサ９２０を含んでもよい。さらに、プロセッサユニット９０２は、プロセッサユニット９０２と他のユニットとの間の対話を便利にするために、１つ又は複数のモジュールを含んでもよい。例えば、プロセッサユニット９０２は、マルチメディアユニット９０８とプロセッサユニット９０２との間の対話を便利にするために、マルチメディアモジュールを含むことができる。
【０１３２】
メモリ９０４は、装置９００での操作をサポートするための各種タイプのデータを保存するように構成される。これらのデータの例は、装置９００で操作するための任意のアプリケーション又は方法の命令、連絡先データ、電話帳データ、メッセージ、ピクチャ、ビデオなどを含む。メモリ９０４は、任意タイプの揮発性又は不揮発性記憶機器、又はそれらの組み合わせ、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクによって実現することができる。
【０１３３】
電源ユニット９０６は、装置９００の各種のユニットに電力を供給する。電源ユニット９０６は、電源管理システムと、１つ又は複数の電源と、装置９００のための電力の生成、管理及び分配に関する他のユニットとを含んでもよい。
【０１３４】
マルチメディアユニット９０８は、装置９００とユーザとの間に出力インタフェースを提供するスクリーンを含む。一部の実施例において、スクリーンは液晶ディスプレイ（ＬＣＤ）とタッチパネル（ＴＰ）とを含んでもよい。スクリーンがタッチパネルを含んでいる場合、スクリーンはユーザからの入力信号を受信するためのタッチスクリーンとして実現されてもよい。タッチパネルは、タッチ、スライド及びタッチパネルにおけるジェスチャを感知するための１つ又は複数のタッチセンサを含む。前記タッチセンサは、タッチ又はスライド動作の境界を感知するだけでなく、タッチ又はスライド操作に関する持続時間及び圧力を感知することもできる。一部の実施例において、マルチメディアユニット９０８は、フロントカメラ及び／又はリアカメラを含む。装置９００が操作モード、例えば、撮影モード又はビデオモードにある場合、フロントカメラ及び／又はリアカメラは、外部からのマルチメディアデータを受信することができる。各フロントカメラ及びリアカメラは、固定された光学レンズシステム又は焦点距離及び光学ズーム機能を有していてもよい。
【０１３５】
オーディオユニット９１０は、オーディオ信号を出力及び／又は入力するように構成される。例えば、オーディオユニット９１０は一つのマイク（ＭＩＣ）を含んでおり、装置９００が操作モード、例えば、呼出しモード、記録モード及び音声認識モードにある場合に、マイクは外部からのオーディオ信号を受信するように構成される。受信されたオーディオ信号は、さらに、メモリ９０４内に記憶されてもよいし、又は通信ユニット９１６により送信されてもよい。一部の実施例において、オーディオユニット９１０は、オーディオ信号を出力するためのスピーカをさらに含む。
【０１３６】
Ｉ／Ｏインタフェース９１２は、プロセッサユニット９０２と周辺インタフェースモジュールとの間にインタフェースを提供する。上記周辺インタフェースモジュールは、キーボード、クリックホイール、ボタンなどであってもよい。これらのボタンは、ホームボタン、ボリュームボタン、スタートボタン及びロックボタンを含んでもよいが、限定されない。
【０１３７】
センサユニット９１４は、装置９００に各側面の状態評価を提供するための１つ又は複数のセンサを含む。例えば、センサユニット９１４は、装置９００のオン／オフ状態及びユニットの相対位置を検出することができ、例えば、前記ユニットが装置９００のディスプレイ及びキーパッドである。センサユニット９１４は、さらに、装置９００又は装置９００の一つのユニットの位置の変化、ユーザと装置９００との接触が存在するか否か、装置９００の方位又は加速／減速、及び装置９００の温度変化を検出することができる。センサユニット９１４は、あらゆる物理的な接触がない場合に、近くのものの存在を検出するように構成される近接センサを含んでもよい。センサユニット９１４は、光センサ、例えば、撮影アプリケーションに使用されるＣＭＯＳ又はＣＣＤイメージセンサをさらに含んでもよい。いくつかの実施例において、該センサユニット９１４は、加速度センサ、又はジャイロセンサ、又は磁気センサ、又は圧力センサ、又は温度センサをさらに含むことができる。
【０１３８】
通信ユニット９１６は、装置９００と他の装置との間の有線又は無線の通信を容易にするように構成される。装置９００は、通信基準に基づく無線ネットワーク、例えば、ＷｉＦｉ、２Ｇ又は３Ｇ、又はそれらの組み合わせにアクセスすることができる。一例示的な実施例において、通信ユニット９１６は、ブロードキャストチャンネルを介して、外部ブロードキャスト管理システムからのブロードキャスト信号又はブロードキャスト関連情報を受信する。一例示的な実施例において、通信ユニット９１６は、短距離通信を促進するための近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術に基づいて実現され得る。
【０１３９】
例示的な実施例において、装置９００は、上記方法を実行するために、１つ又は複数の特定用途向け集積回路（ＡＳＩＣ）、デジタル信号プロセッサ（ＤＳＰ）、デジタル信号処理機器（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実現されてもよい。
【０１４０】
例示的な実施例において、命令を含んだ非一時的なコンピュータ可読記憶媒体、例えば、命令を含んだメモリ９０４がさらに提供され、上記命令は、上記の方法を実行するために、装置９００のプロセッサ９２０によって実行可能である。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光学データ記憶機器などであってもよい。
【０１４１】
当業者は、明細書を考慮して本明細書に開示されたものを実践して、本発明の他の実施例を容易に想到する。本願は、本開示の任意の変形、用途又は適宜な変更を含むことを意図しており、これらの変形、用途又は適宜な変更は、本開示の一般的な原理に従うものであるとともに、本開示に開示されていない当技術分野における周知技術又は通常の技術手段を含む。明細書及び実施例は単なる例示的なものとみなされ、本発明の本当の範囲及び趣旨は以下の特許請求の範囲によって示される。
【０１４２】
なお、本開示は、以上に既に説明され、図面に示された精確な構成に限定されるものではなく、本発明の範囲から逸脱しない範囲で、様々な修正及び変更をすることができる。本開示の範囲は、添付の特許請求の範囲のみによって限定される。
【図１Ａ】
0006713049.tif 000002
【図１Ｂ】
0006713049.tif 000003
【図２】
0006713049.tif 000004
【図３】
0006713049.tif 000005
【図４】
0006713049.tif 000006
【図５Ａ】
0006713049.tif 000007
【図５Ｂ】
0006713049.tif 000008
【図６】
0006713049.tif 000009
【図７Ａ】
0006713049.tif 000010
【図７Ｂ】
0006713049.tif 000011
【図７Ｃ】
0006713049.tif 000012
【図７Ｄ】
0006713049.tif 000013
【図７Ｅ】
0006713049.tif 000014
【図８Ａ】
0006713049.tif 000015
【図８Ｂ】
0006713049.tif 000016
【図９】
0006713049.tif 000017